(57)【要約】【課題】  比較的大きな動作範囲をもつことができ、大きな範囲のマッサージを実現する【解決手段】  マッサージ調節構造は、摺接部材を含むガイド機構と、第１の端が駆動ロッドにヒンジ接続され、第２の端には駆動ロッドの方向に延在し摺接部材が摺接される摺接溝が設けられているマッサージホルダー、マッサージヘッドおよび駆動ロッドを含むマッサージ機構と、この駆動ロッドを円周運動させ摺接部材を往復運動させるために用いられる駆動機構と、を含み、駆動ロッドは、第１の端を円周運動させ、摺接部材は、第１の端が円周運動するときに摺接溝を介して第２の端を往復運動させ得て、往復運動する方向の一部は、第１の端の円周運動によって限定された領域を通過しない。本発明のマッサージ調節構造は、マッサージホルダーの第２の端が、第１の端に対して、この円周運動する限定された領域の周方向で揺動する。【選択図】  図１
2020192320.tif 000002
【特許請求の範囲】
【請求項１】
摺接部材を含むガイド機構と、
マッサージホルダーと、前記マッサージホルダーに接続されマッサージするために用いられるマッサージヘッドと、前記マッサージホルダーに接続された駆動ロッドと、を含み、前記マッサージホルダーは、第１の端および第２の端を有し、前記第１の端は、前記駆動ロッドにヒンジ接続され、前記第２の端には摺接溝が設けられており、前記摺接溝は、前記駆動ロッドの方向に延在し、前記摺接部材は、前記摺接溝内に摺接するマッサージ機構と、
前記駆動ロッドを円周運動させ、前記摺接部材を往復運動させるための駆動機構と、を含み、
前記駆動ロッドは、前記第１の端を円周運動させ、前記摺接部材は、前記第１の端が円周運動するときに前記摺接溝を介して前記第２の端を往復運動させ得て、前記往復運動する方向の一部は、前記第１の端の円周運動によって限定された領域を通過しないことを特徴とする、マッサージ調節構造。
【請求項２】
前記マッサージホルダーは、摺動台と、前記摺動台に回動接続されたヒンジ接続軸と、前記ヒンジ接続軸に接続されたヒンジ接続台と、を含み、前記ヒンジ接続軸の回動軸線は、前記駆動ロッドの回動軸線に垂直であり、前記摺動台には、前記摺接溝が設けられ、前記駆動ロッドが接続されており、前記マッサージヘッドは、前記ヒンジ接続台に接続されており、前記ヒンジ接続台は、前記ヒンジ接続軸の回動軸線周りに回動し得ることを特徴とする、請求項１に記載のマッサージ調節構造。
【請求項３】
前記駆動機構は、前記駆動ロッドに接続された第１の伝動アセンブリと、前記摺接部材に接続された第２の伝動アセンブリと、前記第１の伝動アセンブリおよび前記第２の伝動アセンブリの動きを駆動するための駆動装置と、を含み、前記駆動装置は、前記第１の伝動アセンブリを介して前記駆動ロッドを円周運動させ、前記第２の伝動アセンブリを介して前記摺接部材を前記スライドレールに沿って往復運動させることを特徴とする、請求項１又は２に記載のマッサージ調節構造。
【請求項４】
前記第１の伝動アセンブリは、第１の回転軸と、前記第１の回転軸に接続され前記駆動装置に接続された第１の伝動歯車と、を含み、前記駆動装置は、前記第１の伝動歯車を前記第１の回転軸の軸線周りに回動させ得て、前記駆動ロッドは、前記第１の伝動歯車に回動接続され、その軸線は前記第１の回転軸の軸線と平行であり、離間して設けられていることを特徴とする、請求項３に記載のマッサージ調節構造。
【請求項５】
前記第２の伝動アセンブリは、第２の回転軸と、前記第２の回転軸に接続され前記駆動装置に接続された第２の伝動歯車と、前記第２の回転軸に接続され前記第２の回転軸の回動に伴い回動可能な回転部材と、前記回転部材に回動接続され前記摺接部材に接続された伝動ロッドと、を含み、前記駆動装置は、前記第２の伝動歯車を駆動して前記第２の回転軸を回動させ得て、前記伝動ロッドは、前記回転部材の回動に伴い前記摺接部材を前記スライドレールに沿って往復運動させ得ることを特徴とする、請求項４に記載のマッサージ調節構造。
【請求項６】
前記回転部材は、円盤状であり、その円心からずれた偏心軸穴が設けられており、前記第２の回転軸は、前記偏心軸穴に挿設され、前記第２の回転軸は、前記回転部材を円周運動させ得て、前記スライドレールは、前記第２の回転軸の方向に延在し、前記伝動ロッドは、前記回転部材の円周運動に伴い前記摺接部材を前記スライドレールに沿って往復運動させ得ることを特徴とする、請求項５に記載のマッサージ調節構造。
【請求項７】
第２の伝動アセンブリは、前記伝動ロッドに回動接続された補強ロッドをさらに含み、前記補強ロッドの一端は、前記第１の回転軸に回動接続され、その他端は、前記摺接部材に接続され、前記伝動ロッドは、前記第１の回転軸と前記摺接部材との間に接続されていることを特徴とする、請求項５または６に記載のマッサージ調節構造。
【請求項８】
請求項１〜７のいずれか１項に記載のマッサージ調節構造を含むマッサージ装置。
【請求項９】
請求項５に記載のマッサージ調節構造を含み、前記ガイド機構が２つ設けられており、前記マッサージ機構が２つ設けられており、前記第１の伝動アセンブリが２つ設けられており、前記第２の伝動アセンブリは、前記回転部材に回動接続された２つの前記伝動ロッドを含み、２つの前記マッサージ機構は、前記ガイド機構および前記第１の伝動アセンブリにそれぞれ接続され、２つの前記ガイド機構は、前記伝動ロッドにそれぞれ接続され、２つの前記伝動ロッドは、いずれも前記回転部材に回動接続されていることを特徴とするマッサージ装置。
【請求項１０】
前記第２の伝動アセンブリは、前記第２の回転軸に接続された２つの前記回転部材を含み、２つの前記回転部材は、交互配置され、２つの前記伝動ロッドは、前記回転部材にそれぞれ回動接続されていることを特徴とする、請求項９に記載のマッサージ装置。
【発明の詳細な説明】
【技術分野】
【０００１】
本発明は、マッサージ装置の技術分野に属し、特にマッサージ調節構造およびマッサージ装置に関する。
【背景技術】
【０００２】
マッサージ器は、一般的には、揉むことによって血液循環を促し、コリをほぐすことにより病気予防の目的を達成する。よく見られる肩頸部マッサージ器のマッサージ方式は、モーターが偏心カムを回動させ、偏心カムがさらにマッサージヘッドを回動させるため、マッサージの範囲が偏心カムの回転範囲内のみとなり、大きな範囲のマッサージを実現することができない。
【発明の概要】
【発明が解決しようとする課題】
【０００３】
本発明の目的は、先行技術におけるマッサージヘッドのマッサージ範囲が偏心カムの回転範囲内にしかなく、大きな範囲のマッサージを実現することができないという技術的課題を解決するために、マッサージ調節構造およびマッサージ装置を提供することである。
【課題を解決するための手段】
【０００４】
本発明は、以下のとおりに実現される。
摺接部材を含むガイド機構と、
マッサージホルダーと、前記マッサージホルダーに接続されマッサージするために用いられるマッサージヘッドと、前記マッサージホルダーに接続された駆動ロッドと、を含み、前記マッサージホルダーは、第１の端および第２の端を有し、前記第１の端は、前記駆動ロッドにヒンジ接続され、前記第２の端には摺接溝が設けられており、前記摺接溝は、前記駆動ロッドの方向に延在し、前記摺接部材は、前記摺接溝内に摺接するマッサージ機構と、
前記駆動ロッドを円周運動させ、前記摺接部材を往復運動させるための駆動機構と、を含み、
前記駆動ロッドは、前記第１の端を円周運動させ、前記摺接部材は、前記第１の端が円周運動するときに前記摺接溝を介して前記第２の端を往復運動させ得て、前記往復運動する方向の一部は、前記第１の端の円周運動によって限定された領域を通過しないマッサージ調節構造である。
【０００５】
さらに、前記マッサージホルダーは、摺動台と、前記摺動台に回動接続されたヒンジ接続軸と、前記ヒンジ接続軸に接続されたヒンジ接続台と、を含み、前記ヒンジ接続軸の回動軸線は、前記駆動ロッドの回動軸線に垂直であり、前記摺動台には、前記摺接溝が設けられ、前記駆動ロッドが接続されており、前記マッサージヘッドは、前記ヒンジ接続台に接続されており、前記ヒンジ接続台は、前記ヒンジ接続軸の回動軸線周りに回動し得る。
【０００６】
さらに、前記駆動機構は、前記駆動ロッドに接続された第１の伝動アセンブリと、前記摺接部材に接続された第２の伝動アセンブリと、前記第１の伝動アセンブリおよび前記第２の伝動アセンブリの動きを駆動するための駆動装置と、を含み、前記駆動装置は、前記第１の伝動アセンブリを介して前記駆動ロッドを円周運動させ、前記第２の伝動アセンブリを介して前記摺接部材を前記スライドレールに沿って往復運動させる。
【０００７】
さらに、前記第１の伝動アセンブリは、第１の回転軸と、前記第１の回転軸に接続され前記駆動装置に接続された第１の伝動歯車と、を含み、前記駆動装置は、前記第１の伝動歯車を前記第１の回転軸の軸線周りに回動させ得て、前記駆動ロッドは、前記第１の伝動歯車に回動接続され、その軸線は前記第１の回転軸の軸線と平行であり、離間して設けられている。
【０００８】
さらに、前記第２の伝動アセンブリは、第２の回転軸と、前記第２の回転軸に接続され前記駆動装置に接続された第２の伝動歯車と、前記第２の回転軸に接続され前記第２の回転軸の回動に伴い回動可能な回転部材と、前記回転部材に回動接続され前記摺接部材に接続された伝動ロッドと、を含み、前記駆動装置は、前記第２の伝動歯車を駆動して前記第２の回転軸を回動させ得て、前記伝動ロッドは、前記回転部材の回動に伴い前記摺接部材を前記スライドレールに沿って往復運動させ得る。
【０００９】
さらに、前記回転部材は、円盤状であり、その円心からずれた偏心軸穴が設けられており、前記第２の回転軸は、前記偏心軸穴に挿設され、前記第２の回転軸は、前記回転部材を円周運動させ得て、前記スライドレールは、前記第２の回転軸の方向に延在し、前記伝動ロッドは、前記回転部材の円周運動に伴い前記摺接部材を前記スライドレールに沿って往復運動させ得る。
【００１０】
さらに、第２の伝動アセンブリは、前記伝動ロッドに回動接続された補強ロッドをさらに含み、前記補強ロッドの一端は、前記第１の回転軸に回動接続され、その他端は、前記摺接部材に接続され、前記伝動ロッドは、前記第１の回転軸と前記摺接部材との間に接続されている。
【００１１】
本発明は、上記マッサージ調節構造を含むマッサージ装置をさらに提供する。
【００１２】
さらに、前記ガイド機構が２つ設けられており、前記マッサージ機構が２つ設けられており、前記第１の伝動アセンブリが２つ設けられており、前記第２の伝動アセンブリは、前記回転部材に回動接続された２つの前記伝動ロッドを含み、２つの前記マッサージ機構は、前記ガイド機構および前記第１の伝動アセンブリにそれぞれ接続され、２つの前記ガイド機構は、前記伝動ロッドにそれぞれ接続され、２つの前記伝動ロッドは、いずれも前記回転部材に回動接続されている。
【００１３】
さらに、前記第２の伝動アセンブリは、前記第２の回転軸に接続された２つの前記回転部材を含み、かつ２つの前記回転部材は、交互配置され、２つの前記伝動部材は、１つの前記回転部材にそれぞれ回動接続されている。
【発明の効果】
【００１４】
先行技術に対する本発明の技術的効果は、次のとおりである。本発明のマッサージ調節構造は、その摺接部材が摺接溝に摺接するため、摺接部材の往復運動によって、マッサージホルダーの摺接溝が設けられた第２の端を往復揺動させる。また、駆動ロッドの円周運動によって、マッサージホルダーの第１の端を円周運動させる。マッサージホルダーの第２の端の往復運動する部分の方向は、第１の端が円周運動する限定された領域を通過せず、このようにして、マッサージホルダーの第２の端が、第１の端に対して、この円周運動する限定された領域の周方向で揺動し、マッサージホルダーに比較的大きな動作範囲をもたせる。このようにすると、マッサージホルダーの両端がそれぞれ動かされ、マッサージホルダーが大きな範囲で動かされ、それに応じて、マッサージホルダー上のマッサージヘッドも大きな範囲で動かされることにより、大きな範囲のマッサージを実現する。摺接部材が駆動ロッドの周方向で摺動する過程で、第１の端の円周運動によって摺接部材が摺接溝内を往復摺動し、摺接溝は駆動ロッドの方向に延在している。これによって、マッサージ機構の第２の端がスライドレールの延在方向に沿って往復揺動するとともに、摺接溝の延在方向に沿って往復揺動し、マッサージ機構の動きの軌跡で３種類の動きの効果が結合され、ユーザは、より快適なマッサージ体験を得ることができる。
【図面の簡単な説明】
【００１５】
本発明の実施例の技術手法をより明晰に説明するために、次に本発明の実施例または先行技術の説明に対して用いられる図面について簡単に紹介する。次に説明する図面は、本発明の実施例の一部に過ぎず、当業者にとって、創造的な労働を行わない前提で、これらの図面に基づきその他の図面をさらに得られることは自明のことである。
【００１６】
【図１】本発明の実施例が提供する１つの視角でのマッサージ調節構造の立体構造図
【図２】本発明の実施例が提供するもう１つの視角でのマッサージ調節構造の立体構造図
【図３】本発明実施例が提供するマッサージ調節構造の分解図
【図４】駆動ロッドは除去されている、本発明の実施例が提供するマッサージ機構の分解図
【図５】本発明の実施例が提供するマッサージ装置の立体構造図
【図６】本発明の実施例が提供するマッサージ装置の局所構造模式図
【発明を実施するための形態】
【００１７】
以下、本発明の実施例について詳細に説明する。前記実施例の例示は、図面において示し、始めから終わりまで同一または類似の記号で同一もしくは類似の要素または同一もしくは類似の機能を有する要素を表す。以下、図面を参照して説明する実施例は例示的なものであり、本発明についての説明するに用いられることを目的としており、本発明に対する制限として理解されるべきではない。
【００１８】
ここで、「第１」、「第２」などの用語は、説明の目的のみに用いられ、相対的な重要性を表すもしくは暗示するもの、または表す技術的特徴の数を暗示もしくは明示するものとして理解されるべきではない。そのため、「第１」、「第２」などによって限定された特徴は、１つまたは複数個の特徴を明示的または暗示的に含んでもよい。本発明の説明において、「複数」という用語の意味は、別段の明確で具体的な限定がある場合を除き、２つ以上である。
【００１９】
本発明において、別段の明確な規定および限定がある場合を除き、「装着」、「つなぐ」、「接続」、「固定」などの用語は、広義に理解すべきであり、例えば、固定接続であってもよく、着脱可能な接続であってもよく、一体化してもよく、機械的な接続であってもよく、電気的な接続であってもよく、直接つないでもよく、中間的な媒体を介して間接的につないでもよく、２つの要素内部の連通であってもよく、２つの要素の相互作用関係であってもよい。当業者は、具体的な状況に応じて上記用語の本発明における具体的な意味を理解することができる。
【００２０】
本発明の目的、技術手法および長所をより明確にするため、以下、図面および実施例を合わせて、本発明についてさらに詳細に説明する。
【００２１】
図１から図３を参照し、本発明は、ガイド機構１０と、マッサージ機構２０と、駆動機構３０と、を含むマッサージ調節構造を提供する。
【００２２】
図１から図３を参照し、ガイド機構１０は、帯状に延在するスライドレール１１と、スライドレール１１に摺接する摺接部材１２と、を含む。本実施例では、摺接部材１２は柱状である。
【００２３】
図１から図３を参照し、マッサージ機構２０は、マッサージホルダー２１と、マッサージホルダー２１の頂部に接続されマッサージするために用いられるマッサージヘッド２２と、駆動機構３０によって駆動され中心の周りを円周運動する駆動ロッド２３と、を含む。図２および図４を参照し、マッサージホルダー２１には、駆動ロッド２３の方向に延在し摺接部材１２と摺接する摺接溝２０１が設けられており、マッサージ機構２０は、駆動ロッド２３にヒンジ接続された第１の端と、摺接溝２０１が設けられた第２の端と、を有する。マッサージヘッド２２は、複数設けることができ、摺接溝２０１の延在方向に沿って配列することができ、本実施例では、マッサージヘッド２２は２つ設けられ、それぞれ第１の端および第２の端に位置し、マッサージヘッド２２が最大範囲でのマッサージ効果を達成できるようにする。
【００２４】
駆動機構３０は、駆動ロッド２３を円周運動させるために用いられ、駆動機構は、さらに摺接部材１２をスライドレール１１に沿って往復運動させることができる。なお、駆動機構３０は、１つのモーターを用いて２セットの減速歯車を介してそれぞれ駆動ロッド２３および摺接部材１２を動かしてもよく、２つのモーターを用いてそれぞれ駆動ロッド２３および摺接部材１２を動かしてもよい。
【００２５】
スライドレール１１は、摺接部材１２を案内してその軌道内で往復運動させるために用いられる。摺接部材１２は摺接溝２０１に摺接するため、摺接部材１２の往復運動によって、マッサージホルダー２１の摺接溝２０１が設けられた第２の端を往復揺動させる。また、駆動ロッド２３の円周運動によって、マッサージホルダー２１の第１の端を円周運動させる。マッサージホルダー２１の第２の端の往復運動する方向の一部は、第１の端が円周運動する限定された領域を通過せず、このようにして、マッサージホルダー２１の第２の端が、第１の端に対して、この円周運動する限定された領域の周方向で揺動し、マッサージホルダー２１に比較的大きな動作範囲をもたせる。このようにして、マッサージホルダー２１の両端がそれぞれ動かされ、マッサージホルダー２１が大きな範囲で動かされ、それに応じて、マッサージホルダー２１上のマッサージヘッド２２も大きな範囲で動かされることにより、大きな範囲のマッサージを実現する。摺接部材１２が駆動ロッド２３の周方向で摺動する過程で、第１の端の円周運動によって摺接部材１２が摺接溝２０１内を往復摺動し、摺接溝２０１は駆動ロッド２３の方向に延在している。これによって、マッサージ機構２０の第２の端がスライドレール１１の延在方向に沿って往復揺動するとともに、摺接溝２０１の延在方向に沿って往復揺動し、マッサージ機構２０の運動軌跡で３種類の動きの効果が結合され、ユーザは、より快適なマッサージ体験を得ることができる。
【００２６】
なお、摺接部材１２は、マッサージホルダー２１の第２の端を揺動することができればよく、必ずしもスライドレール内に設ける必要はない。摺接部材１２が伸縮シリンダーによって押し動かされる場合、摺接部材１２自体がすでに往復運動することができ、さらにスライドレール１１を別途設ける必要はない。
【００２７】
図４を参照し、好ましくは、マッサージホルダー２１は、摺動台２１１と、摺動台２１１に回動接続されたヒンジ接続軸２１２と、ヒンジ接続軸２１２に接続されたヒンジ接続台２１３と、を含む。ヒンジ接続軸２１２の回動軸線は、駆動ロッド２３の回動軸線に垂直である。摺動台２１１には、摺接溝２０１が設けられ、駆動ロッド２１が接続されている。マッサージヘッド２２は、ヒンジ接続台２１３に接続されている。ヒンジ接続台２１３は、ヒンジ接続軸２１２の回動軸線の周りに回動することができる。摺動台２１１は、ヒンジ接続台２１３の回動に対して、回動範囲を制限する作用を奏する。マッサージ機構２０がマッサージの動作を開始すると、人体のマッサージ部位が平らでないため、マッサージヘッド２２と人体との接触面は、マッサージ中に傾斜し、高さが変化する。本発明は、ヒンジ接続軸２１２の周りを回動可能なヒンジ接続台２１３を設けることにより、マッサージヘッド２２がマッサージ部位の高さの起伏につれてマッサージ面の傾斜角を調整できるようにし、マッサージヘッド２２が常にマッサージ部位に接するようにする。よって、異なるユーザおよび異なるマッサージ部位の使用要求に適合しており、マッサージの快適さを高めることができる。
【００２８】
図１から図２を参照し、駆動機構３０は、駆動ロッド２３に接続された第１の伝動アセンブリ３２と、摺接部材１２に接続された第２の伝動アセンブリ３３と、第１の伝動アセンブリ３２および第２の伝動アセンブリ３３の動きを駆動するための駆動装置３１と、を含む。駆動装置３１は、第１の伝動アセンブリ３２を介して駆動ロッド２３を円周運動させ、第２の伝動アセンブリ３３を介して摺接部材１２をスライドレール１１に沿って往復運動させる。駆動装置３１は、モーターまたはシリンダーなどの動力装置とすることができ、駆動装置３１は、２つとし、それぞれ第１の伝動アセンブリ３２および第２の伝動アセンブリ３３を駆動してもよい。本実施例では、駆動装置３１はモーターであり、モーターの回転軸にはウォームが接続され、モーターは、ウォームを介して、その運動エネルギーを同時に第１の伝動アセンブリ３２および第２の伝動アセンブリ３３に伝達することができ、第１の伝動アセンブリ３２を駆動して駆動ロッド２３を円周運動させ、第２の伝動アセンブリ３３を駆動して摺接部材１２をスライドレール１１に沿って往復運動させることができる。好ましくは、モーターは、少なくとも１つのウォームを有し、ウォームは、第１の伝動アセンブリ３２と第２の伝動アセンブリ３３の動きを同時に駆動するために用いられる。モーターの両端にはそれぞれ２つのウォームを有してもよく、第１の伝動アセンブリ３２と第２の伝動アセンブリ３３とが衝突することを防止するために、２つのウォームをそれぞれ第１の伝動アセンブリ３２と第２の伝動アセンブリ３３を駆動するように用いてもよい。
【００２９】
図１から図３を参照し、具体的には、第１の伝動アセンブリ３２は、第１の回転軸３２１と、第１の回転軸３２１に回転（回動）接続され駆動装置３１に接続された第１の伝動歯車３２２と、を含む。第１の伝動歯車３２２には、ウォームの回転が第１の減速アセンブリ３２３を介して伝達され、駆動装置３１は、第１の伝動歯車３２２を第１の回転軸３２１の軸線周りに回動させることができる。駆動ロッド２３は、第１の伝動歯車３２２に回動接続され、その軸線は第１の回転軸３２１の軸線と平行であり、離間して設けられている。このようにして、駆動装置３１が第１の伝動歯車３２２を第１の回転軸３２１周りに回動させると、第１の伝動歯車３２２が駆動ロッド２３を動かし、第１の回転軸３２１を円心として円周運動させることができ、マッサージ機構２０の第１の端のマッサージ効果を実現する。
【００３０】
図１から図３を参照し、具体的には、第２の伝動アセンブリ３３は、第２の回転軸３３１と、第２の回転軸３３１に固定接続されかつ駆動装置３１に接続された第２の伝動歯車３３２と、第２の回転軸３３１に接続されかつ第２の回転軸３３１の回動に伴い回動可能な回転部材３３３と、回転部材３３３に回動接続されかつ摺接部材１２に接続された伝動ロッド３３４と、を含む。第２の伝動歯車３３２は、ウォームと噛合してもよく、他の部材を介してウォームと間接的に接続してもよい。当該他の部材は、第１の伝動アセンブリであってもよい。駆動装置３１は、第２の伝動歯車３３２を駆動して第２の回転軸３３１を回動させることができ、伝動ロッド３３４は、回転部材３３３の回動に伴い摺接部材１２をスライドレール１１に沿って往復運動させることができる。このようにして、駆動装置３１が第２の伝動歯車３３２を第２の回転軸３３１周りに回動させると、回転部材３３３が伝動ロッド３３４を往復運動させることができ、伝動ロッド３３４は、さらに摺接部材１２をスライドレール１１に沿って往復運動させる。好ましくは、スライドレール１１は、第２の回転軸３３１の方向に延在し、マッサージ機構２０の第２の端の揺動を実現し、マッサージ機構２０のマッサージ範囲を拡大する。
【００３１】
選択可能に、回転部材３３３は、棒状であってもよく、その一端は第２の回転軸３３１に固定接続され、他端は伝動ロッド３３４に回動接続されていてもよい。このようにすると、伝動ロッド３３４と回転部材３３３との接続端が、回転部材３３３の回動に伴い円周運動することができる。
【００３２】
好ましくは、図１から図３を参照し、本実施例において、回転部材３３３は円盤状または球状であり、その円心からずれた偏心軸穴が設けられており、すなわち、回転部材３３３は偏心カムである。第２の回転軸３３１は、偏心軸穴に挿設され、第２の回転軸３３１は、回転部材３３３を円周運動させることができ、伝動ロッド３３４は、回転部材３３３に被せられ、回転部材３３３の円周運動に伴い摺接部材１２をスライドレール１１に沿って往復運動させることができる。偏心カムは、回動の信頼性を高め、自体を回転軸として伝動ロッド３３４に接続することができるため、さらに回転軸を設ける必要がなく、空間を節約し、部品数を減らすことができ、取り付けに便利である。
【００３３】
図１から図３を参照し、第２の伝動アセンブリ３３は、伝動ロッド３３４に回動接続された補強ロッド３３５をさらに含み、補強ロッド３３５の一端は第１の回転軸３２１に回動接続され、他端は摺接部材１２に接続されている。伝動ロッド３３４は、第１の回転軸３２１と摺接部材１２との間に接続されており、すなわち、補強ロッド３３５の中央に接続されている。伝動ロッド３３４は、補強ロッド３３５を介して摺接部材１２に接続されている。第１の回転軸３２１の位置が変わらないため、伝動ロッド３３４が往復運動する過程において、補強ロッド３３５は、第１の回転軸３２１の軸線を回動軸線として回動する。そのため、摺接部材１２から第１の回転軸３２１までの距離が、伝動ロッド３３４と補強ロッド３３５との接続端から第１の回転軸３２１までの距離よりも大きくなり、すなわち、摺接部材１２の回転半径が伝動ロッド３３４と補強ロッド３３５との接続端の回転半径よりも大きくなる。つまり、補強ロッド３３５の設置によって、摺接部材１２の運動範囲が拡大され、マッサージ機構２０でより大きなマッサージ範囲が得られるようになり、ユーザのマッサージ体験が増強される。
【００３４】
図１から図３を参照し、好ましくは、第１の伝動アセンブリ３２は、駆動装置３１と第１の伝動歯車３２２とを接続するための第１の減速アセンブリ３２３と、駆動装置３１と第２の伝動歯車３３２とを接続するための第２の減速アセンブリ３３６と、をさらに含む。第１の減速アセンブリ３２３は、駆動装置の出力動力を小さくし、第１の伝動歯車３２２の回転率を小さくするために用いられ、第２の減速アセンブリ３３６は、駆動装置の出力動力を小さくし、第２の伝動歯車３３２の回転率を小さくするために用いられる。第１の減速アセンブリ３２３および第２の減速アセンブリ３３６は、いずれもウォームと噛合する複数の歯車であり、第１の伝動歯車３２２は第１の減速アセンブリ３２３に噛合し、第２の伝動アセンブリ３３は第２の減速アセンブリ３３６に噛合し、第１の減速アセンブリ３２３および第２の減速アセンブリ３３６はマッサージ機構２０の運動速度を遅くする。このようにして、ユーザは、よりよいマッサージ体験を得ることができる。より好ましくは、本実施例において、第２の減速アセンブリ３３６は、第１の減速アセンブリ３２３を介してウォームに接続される。このようにすると、空間をさらに節約できるだけでなく、第２の伝動歯車３３２の運動速度をさらに遅くすることができ、すなわち、摺接部材１２の運動速度をさらに遅くすることができ、マッサージ効果をよりよいものとすることができる。
【００３５】
図１から図３を参照し、好ましくは、スライドレール１１は、弧形を呈し、第１の回転軸３２１とは逆の方向に突出している。より好ましくは、第１の回転軸３２１は、スライドレール１１に対応する円心に位置する。このようにすると、スライドレール１１における摺接部材１２の運動速度がより均一になり、突然速くなったり遅くなったりすることが回避され、ユーザのマッサージ体験がさらに増強される。
【００３６】
図５から図６を参照し、本実施例は、ケーシング４０と、ケーシング４０に接続され上述した各実施例で提供するマッサージ調節構造と、を含むマッサージ装置をさらに提供する。このマッサージ調節構造は、上述した各実施例におけるマッサージ調節構造と同じ構造特徴を有し、奏する作用は同じであり、ここでは詳しく述べない。
【００３７】
図６を参照し、本実施例では、ガイド機構１０が２つ設けられており、マッサージ機構２０が２つ設けられており、第１の伝動アセンブリ３２が２つ設けられており、第２の伝動アセンブリ３３は、回転部材３３３に回動接続された２つの伝動ロッド３３４を含み、２つのマッサージ機構２０は、ガイド機構１０および第１の伝動アセンブリ３２にそれぞれ接続され、２つのガイド機構１０は、伝動ロッド３３４にそれぞれ接続され、２つの伝動ロッド３３４は、いずれも回転部材３３３に回動接続されている。このようにすると、駆動装置３１は、２つの第１の駆動アセンブリを同時に動かすことができ、取り付けスペースを節約することができる。２セットのマッサージ機構２０を対称に設けることにより、ユーザの背中を同時にマッサージすることができ、よりよい動きの効果を達成することができる。
【００３８】
図６を参照し、好ましくは、第２の伝動アセンブリ３３は、第２の回転軸３３１に接続された２つの回転部材３３３を含み、２つの回転部材３３３は、交互配置され、２つの伝動部材は、１つの回転部材３３３にそれぞれ回動接続されている。このようにして、マッサージ機構２０のマッサージ動作を対称にし、運動方向を逆にすることができ、取り付けスペースを節約し、部品の取り付けを減らすことができる。
【００３９】
本発明のマッサージ装置は、２つのマッサージ機構２０が同時に対称に動作することにより、ユーザの背中を対称にマッサージすることができ、ユーザのマッサージ体験をよりよいものとすることができ、マッサージ効果をより快適なものにすることができる。
【００４０】
以上は、本発明の好ましい実施例に過ぎず、本発明を制限するためのものではなく、本発明の趣旨および原則で行われるいかなる変更、均等の入れ替えおよび改善などは、いずれも本発明の保護範囲内に含まれるべきである。
【符号の説明】
【００４１】
１０  ガイド機構
１１  スライドレール
１２  摺接部材
２０  マッサージ機構
２０１  摺接溝
２１  マッサージホルダー
２１１  摺動台
２１２  ヒンジ接続軸
２１３  ヒンジ接続台
２２  マッサージヘッド
２３  駆動ロッド
３０  駆動機構
３１  駆動装置
３２  第１の伝動アセンブリ
３２１  第１の回転軸
３２２  第１の伝動歯車
３２３  第１の減速アセンブリ
３３  第２の伝動アセンブリ
３３１  第２の回転軸
３３２  第２の伝動歯車
３３３  回転部材
３３４  伝動ロッド
３３５  補強ロッド
３３６  第２の減速アセンブリ
４０  ケーシング
【図１】
2020192320.tif 000003
【図２】
2020192320.tif 000004
【図３】
2020192320.tif 000005
【図４】
2020192320.tif 000006
【図５】
2020192320.tif 000007
【図６】
2020192320.tif 000008